(57)【要約】【課題】複数の性具を手で持つことなく、最適な位置に保持でき、女性のみならず男性も使用でき、装着も容易なサポーターを提供する。【解決手段】股間部帯状体１１及び腰部帯状体１２を構成する腹部帯状体１３と臀部帯状体１２ａが互いに連結されて成り、前記股間部帯状体１１上に複数の性具保持手段１１ｐ〜１１ｒが設けられたことを特徴とする。前記股間部帯状体１１が２本のベルト１１ａ、１１ｂにより構成され、その中間領域の２本のベルトによって性具を挟持する性具保持手段１１ｐ〜１１ｒが形成されると共に、２本のベルト１１ａ、１１ｂの前端は前記腹部帯状体１３に取り付けられ、後端は分岐バックル１４を通じてそれぞれ左右に振り分けられて前記臀部帯状体１２として腰部を囲み、最終的に腹部帯状体１３の両端の連結リング１７ａ、１７ｂへ取り付けられることが望ましい。【選択図】図１
2012034968.tif 000002
【特許請求の範囲】
【請求項１】
それぞれ長さ調節可能に設けられた股間部帯状体と腰部帯状体とから成り、前記股間部帯状体には複数の性具保持手段を設けたことを特徴とする、サポ−ター。
【請求項２】
前記股間部帯状体が２本のベルトにより構成され、その中間領域の複数箇所が結束位置調整用留め具により結束され、各結束位置の間の２本のベルトによって性具を挟持する前記性具保持手段が形成されたことを特徴とする請求項１に記載のサポーター。
【請求項３】
前記腰部帯状体はさらに、臀部帯状体と腹部帯状体が互いに連結されて構成されていることを特徴とする、サポーター。
【請求項４】
前記２本のベルトの前端は前記腰部帯状体の前側に取り付けられ、前記２本のベルトの中間領域の使用者の股間にあてがわれる部分には前記性具保持手段が形成されると共に、前記２本のベルトの後端は使用者の背面側臀部中央上部に配置される分岐バックルを通じてそれぞれ左右に振り分けられて前記臀部帯状体を形成する部分として臀部を囲み、最終的に前記腹部帯状体の両端の連結リングへ長さ調節可能に取り付けられたことを特徴とする請求項２に記載のサポーター。
【請求項５】
前記２本のベルトの前端が、前記腹部帯状体上に左右に分離してそれぞれ取り付けられたことを特徴とする請求項４に記載のサポーター。
【請求項６】
前記２本のベルトの前端が、前記腹部帯状体にそれぞれ着脱可能に取り付けられたことを特徴とする請求項４又は５に記載のサポーター。
【請求項７】
前記２本のベルトの後端が、前記腹部帯状体の両端の連結リングへそれぞれ長さ調整用留め具を用いて取り付けられたことを特徴とする請求項４に記載のサポーター。
【請求項８】
性具の保持部と、前記股間部帯状体への着脱可能な取付帯状体とを有するホルダーを更に備えたことを特徴とする請求項１乃至７のいずれかに記載のサポーター。
【請求項９】
前記ホルダーの前記取付帯状体が、長さ調整用留め具を用いて前記股間部帯状体へ取り付けられたことを特徴とする請求項８に記載のサポーター。
【発明の詳細な説明】
【技術分野】
【０００１】
本発明は、特定機能を持ったサポーターに関するものである。
【背景技術】
【０００２】
性文化を豊かにするものとして、性器や肛門等を刺激する張り型やマッサージ器、バイブレーター等々の性具は古来より広く使用されてきた。
【０００３】
このような性具を身体に対して保持する手段の一つとしては、紐を用いるものが従来から知られている。
【０００４】
それは女性用のもので、張り型を保持する網を一つ備え、網には紐が取り付けられ、この紐を使用者の股間及び腰へ巻きつけて固定するものである。
【０００５】
しかし張り型以外の性具を使用することはできず、従って、男性が使用することはできなかった。また、複数の性具を同時に取り付けて使用することもできなかった。
【０００６】
更にまた、性具を保持する網を紐によって所望の位置及び向きに固定しなければならないため、装着は容易でなく、使用感も良好ではなかった。
【０００７】
下記特許文献１には、男性又は女性の性器部分を、矯正若しくは整形等の医学的目的で、又は個人的な趣向の目的で支持、固定するためのサポーターが開示されている。このサポーターは、腰部及び股部に装着されるベルト部と、その股ベルト部の途中位置に取り付けられたリング体とから構成され、腰ベルト部及び股ベルト部によって着用者の腰部から股部にかけた部位を良好にサポートすると共に、前記リング体によって性器部分をも十分に支持、固定し、或いは位置決めできるようにしたものである。
【０００８】
然しながら、この特許文献１に記載のサポーターは、性器等の人体の各部位をサポーターによって直接的に支持、固定し、位置決めしようとするものであり、性具を保持することはできなかった。
【０００９】
下記特許文献２には、男性器をＵ型形状の性器保持部によって常時保持することにより、勃起不全の改善や前立腺肥大の予防を行い得るサポーターが開示され、また、下記特許文献３には、男性の陰茎の根元をしっかり保持するため、サポーターの前部に筒状弾性体からなる所定長の根元固定部を設けた男性器機能補助具が開示されている。
【００１０】
然しながら、これらの器具も、男性器を直接保持するものであり、性具を保持することはできなかった。
【先行技術文献】
【特許文献】
【００１１】
【特許文献１】実用新案登録第３０７４３５０号公報
【特許文献２】実用新案登録第３１１１２５１号公報
【特許文献３】特開２００７−０５００９３号公報
【発明の概要】
【発明が解決しようとする課題】
【００１２】
本発明は上記のような従来技術の問題点に鑑みてなされたものであり、好みの性具を手で持つことなく、使用に最適な位置に複数保持でき、使用する性具は状況に応じて適宜交換可能であり、女性のみならず男性も使用でき、更には、装着も容易なサポーターを提供することを目的とするものである。
【００１３】
なお、本願でいう性具とは、いわゆるアダルトグッズ、即ち、張り型、マッサージ器、バイブレーター等々の性器、陰核、肛門、前立腺等を刺激しうるものを広く指す。
【課題を解決するための手段】
【００１４】
上記目的を達成するため、本発明に係るサポーターは、互いに長さ調節可能に設けられた股間部帯状体と腰部帯状体から成り、前記股間部帯状体には複数の性具保持手段を設けたことを特徴とするものである。
【００１５】
その際に本発明は、腰部帯状体を、長さ調節可能に連結した腹部側の腹部側帯状体と臀部側の臀部側帯状体で構成することができる。
【００１６】
本発明はさらに、前記股間部帯状体を２本のベルトにより構成し、その中間領域の複数箇所に性具を挟持する前記性具保持手段が形成されるようになっている。
【００１７】
その場合、前記２本のベルトの前端は前記腰部帯状体の前側に取り付けられ、前記２本のベルトの中間領域の使用者の股間にあてがわれる部分には前記性具保持手段が形成されると共に、前記２本のベルトの後端は前記腰部帯状体の後部側に取り付けられるよう構成することが望ましい。
【００１８】
さらに望ましい実施形態においては、前記２本のベルトの前端は、それぞれ前記腹部帯状体上に左右に分離して取り付けられる。
【００１９】
前記２本のベルトの前端は、前記腰部帯状体にそれぞれ着脱可能に取り付けられることが望ましい。
【００２０】
一方、前記２本のベルトの後端は、前記腹部帯状体の両端の連結リングへそれぞれ長さ調整用留め具を用いて取り付けられることが望ましい。
【００２１】
本発明に係るサポーターの望ましい実施形態においては、性具保持手段と、前記股間部帯状体への着脱可能な取付帯状体とを有するホルダーが更に備えられたことを特徴とする。
【００２２】
その場合、ホルダーの前記取付帯状体が、長さ調整用留め具を用いて前記股間部帯状体へ取り付けられるよう構成することが推奨される。
【発明の効果】
【００２３】
上記のように構成された本発明のサポーターは、性行為や自慰行為の際、使用者の好みの位置に複数の性具を保持、固定でき、それら複数の性具を手で保持しなくとも性器、陰核、肛門及び前立腺等をそれぞれ個別に又は同時に刺激することができ、使用する性具は状況に応じて適宜交換可能で、女性のみならず男性も使用でき、装着も容易であり、位置がズレたり、外れたりすることも生じ難くなっているので、複数の性具により相乗効果的に性感帯の開発、鍛練を行うことができ、更には、着用者及び相手側の性欲を刺激することによる性欲増進効果をもたらすと共に、ＥＤ等の性的障害の治療や遊びの効果、等々、多くの効果がもたらされる。
【００２４】
また、前記ホルダーを併用することにより、性行為や自慰行為の際における性具の保持性が強化されるので、前記の相乗効果的な性感帯の開発、鍛練を行い得る効果が増強される。
【図面の簡単な説明】
【００２５】
【図１】本発明に係るサポーターの一実施例を示す斜視図である。
【図２】図１に示したサポーターのベルトの一部を解いた状態を示す正面図である。
【図３】図２中のＡ部分の側面図である。
【図４】図１に示したサポーターに用いられている結束位置調整用及び長さ調整用の留め具の一例を示す正面図、平面図及びＣ−Ｃ断面図である。
【図５】本発明に係るサポーターの股間部帯状体に設けられた性具保持手段に性具を取り付けた状態を示す斜視図である。
【図６】図１に示したサポーターに用いられている分岐バックルの説明図である。
【図７】図１に示したサポーターの着用状態を着用者の右前方から見た参考図である。
【図８】図１に示したサポーターの着用状態を着用者の左後方から見た参考図である。
【図９】本発明に係るサポーターに複数の性具を取り付けて着用した状態を示す参考図である。
【図１０】本発明に係るサポーターの一部として用いられるホルダーの一実施例を示す斜視図である。
【発明を実施するための形態】
【００２６】
以下、本発明の実施形態を図面を参照しつつ説明するが、本発明はこれ等の実施形態に限定されるものではない。
【００２７】
図１及び図２に示す如く、本発明に係るサポーター１は、着用者の股間にあてがわれる股間部帯状体１１と、腰に巻き付けられる腰部帯状体１２とから成り、この腰部帯状体１２はさらに臀部或はその上部に巻きつけられる臀部帯状体１２ａ、腹部にあてがわれる腹部帯状体１３とから構成されている。
【００２８】
図示した実施例において、股間部帯状体１１は２本のベルト１１ａ、１１ｂにより構成されており、これら２本のベルト１１ａ、１１ｂの前端１１ａ−１、１１ｂ−１は、それぞれ前記腰部帯状体１２の腹部帯状体１３上に左右に分けて、ホック等の固定具１５ａ及び１５ｂにより、着脱可能に取り付けられている。
【００２９】
なお、図示した実施例においては、股間部帯状体１１を形成する上記２本のベルト１１ａ、１１ｂは、後述する分岐バックル１４を通過して更に延び、前記腰部帯状体１２の臀部帯状体１２ａを形成し、その両端（ベルト１１ａ、１１ｂの後端に該当）１１ａ−２、１１ｂ−２は、図１に示す如く留め具１８ａ、１８ｂを用いて、腹部帯状体１３の両端部に取り付けた連結リング１７ａ、１７ｂに長さ調節可能に取り付けられるようになっている。図２は、ベルト１１ａ、１１ｂの後端１１ａ−２、１１ｂ−２を連結リング１７ａ、１７ｂから外し、下方へ広げた状態を示している。尚、実施例では、股間部帯状体１１の長さは、臀部帯状体１２ａの両端部を留め具１８ａ、１８ｂを用いて長さ調節することにより、調節されるように構成されているが、股間部帯状体１１を腰部帯状体１２とは別部材で構成した場合には、股間部帯状体１１自体、或は腰部帯状体１２との連結箇所に長さ調節をする手段が設けられるものである。
【００３０】
なお、前記の如く、２本のベルト１１ａ、１１ｂの前端１１ａ−１、１１ｂ−１を腹部帯状体１３上に左右に離れて固定し、股間部帯状体１１が性器を覆わないようにすることによって、サポーター１の着用時にも性行為が可能なようにすることができる。
【００３１】
固定具１５ａ及び１５ｂの形態はホックに限らず、いわゆるマジックテープ（登録商標）等の面ファスナー、ボタン、カシメボタン、鉤ホック、等々、各種手段を使用でき、着脱可能とする必要がない場合には、直接縫い付けるようにしてもよい。
【００３２】
なお、前記股間部帯状体１１、腰部帯状体１２しかして臀部帯状体１２ａ及び腹部帯状体１３の素材は、天然皮革、合成皮革、布地等、若しくはそれらを組み合わせて用いることができる。
【００３３】
股間部帯状体１１を構成する前記２本のベルト１１ａ、１１ｂの中間領域は、その複数箇所を結束位置調整用留め具１６ａ〜１６ｄにより互いに結束し、各結束位置の間にそれぞれ性具保持手段１１ｐ〜１１ｒを形成するようになっている。
【００３４】
即ち、図３に示すように、２本のベルト１１ａと１１ｂとを留め具１６ａ及び１６ｂにより結束し、これらの留め具の間の２本のベルトによって性具を挟持する性具保持手段１１ｐが形成されるようにする。
【００３５】
図５には、この性具保持手段１１ｐに性具２Ａを挟んで保持した状態が示されている。性具保持手段１１ｐのサイズは、結束位置調整用留め具１６ａと１６ｂの間隔を増減することによって調整可能なようになっており、取り付けるべき性具の大きさ、形状に応じて最適なように調整するようにする。
【００３６】
同様に、図１に示す実施例においては、結束位置調整用留め具１６ｂと１６ｃの間に性具保持手段１１ｑが形成され、結束位置調整用留め具１６ｃと１６ｄの間に性具保持手段１１ｒが形成されるようになっている。
【００３７】
股間部帯状体１１上に設けるべき結束位置調整用留め具の数と、これによって形成される性具保持手段の数は、性具の使用数や大きさに応じて適宜変更可能であり、例えば結束位置調整用留め具の数は３〜２５個程度の範囲内で自由に設定できる。
【００３８】
ここで、股間部帯状体１１上に設けるべき前記結束位置調整用留め具としては、要するに２本のベルト１１ａと１１ｂを所望の位置で結束できるものであればいかなるものでもよい。具体的には、例えば、面ファスナー、カシメ、調整金具等を使用することができる。
【００３９】
図４には、図１〜図３の実施例で使用した結束位置調整用留め具の一例が示されている。
【００４０】
図４中の（ａ）図は前記結束位置調整用留め具１６ａの正面図、（ｂ）図はその平面図、（ｃ）図はそのＣ−Ｃ断面図である。
【００４１】
この結束位置調整用留め具１６ａは、金属、プラスチック若しくは木材等で作製された略四角形のフレーム部１６１と、これに一体的に形成されたブリッジ部１６２とから成る。
【００４２】
結束すべき２本のベルト１１ａ、１１ｂを図４中に破線で示すように（図３に示したように）、フレーム部１６１とブリッジ部１６２の間を上下にくぐらせるように挿通することにより、２本のベルトを所望の位置で結束することができる。
【００４３】
なお、この留め具は、後述する長さ調整用留め具１８ａ、１８ｂとしても用いることができ、その場合には、１本のベルトの端部近くを上記と同様にフレーム部１６１とブリッジ部１６２の間を上下にくぐらせるように往復させる形で挿通して２つ折り状態とし、その折り返し位置を調整することにより、ベルトの実質的な長さを変更し得るものである。
【００４４】
上記の如く、複数の結束位置調整用留め具１６ａ〜１６ｄにより股間部帯状体１１の中間領域に複数の性具保持手段１１ｐ〜１１ｒを形成し、それらの性具保持手段にそれぞれ所望の性具を保持せしめるよう構成することにより、それらの性具が使用者の好みの位置に保持固定され、手で保持しなくとも性器、陰核、肛門及び前立腺等を個別に又は同時に刺激することができ、性具の位置がズレたり、外れたりすることが生じ難くなるものである。
【００４５】
股間部帯状体１１は、上記の如く複数の性具保持手段１１ｐ〜１１ｒが形成された中間領域が使用者の股間を覆うように装着され、それより後方部分は使用者の臀部中央上部まで延びて、分岐バックル１４において左右に振り分けられ、前記臀部帯状体１２ａを形成して臀部を囲み、最終的に前記腹部帯状体１３の両端の連結リング１７ａ、１７ｂへ取り付けられるようになっている。
【００４６】
分岐バックル１４は、金属、プラスチック若しくは木材等で作製され、図６の（ａ）図に示すように、調整部１４ａと、右分岐部１４ｂと、左分岐部１４ｃとが一体的に形成されている。調整部１４ａは、略四角形のフレーム部１４１と、ブリッジ部１４２とから成り、右分岐部１４ｂは略四角形のフレーム部１４３から成り、左分岐部１４ｃは略四角形のフレーム部１４４から成る。
【００４７】
なお、図６に示した分岐バックル１４は、調整部１４ａと右分岐部１４ｂと左分岐部１４ｃとが金属等により一体的に形成されているが、これらは必ずしも一体的に形成する必要はなく、例えば、それぞれ個別に作製した調整部１４ａ、右分岐部１４ｂ及び左分岐部１４ｃを皮革等の部材で互いに連結してバックル状に構成したものを用いるようにしてもよい。
【００４８】
股間部帯状体１１の中間領域より後方部分のベルト１１ａ、１１ｂは、図６の（ｂ）図に示す如く、調整部１４ａのフレーム部１４１とブリッジ部１４２の間を上下にくぐらせた後、ベルト１１ａは右分岐部１４ｂのフレーム部１４３を通過させ、前記腰部帯状体１２の臀部帯状体１２ａとして使用者の臀部に巻き付けられ、腹部帯状体１３と共に、使用者の腰部に巻き付けられる。
【００４９】
ベルト１１ａ、１１ｂに対する分岐バックル１４の調整部１４ａの位置を調節することにより、股間部帯状体１１から腰部帯状体１２へ移行する位置を調節することができ、使用者の体型に応じて股間部帯状体１１が適切に股間を覆うように調節することができる。
【００５０】
股間部帯状体１１のベルト１１ａ、１１ｂの後端部１１ａ−２、１１ｂ−２、即ち、腰部帯状体１２の臀部帯状体１２ａの端部は、最終的に前記腹部帯状体１３の両端の連結リング１７ａ、１７ｂに長さ調整用留め具１８ａ、１８ｂを用いて取り付けられる。長さ調整用留め具１８ａ、１８ｂは、前記の如く、図４に示した結束位置調整用留め具１６ａと同様の構成を有するものであり、この留め具１８ａ、１８ｂを用いてベルト１１ａ、１１ｂの実質的な使用部分の長さを調整することにより、使用者の体型に応じてサポーター１全体の装着具合を適切に調節することができ、また、使用者の好みに合わせた調整が可能となる。
【００５１】
図７は、上記の如く構成された本発明のサポーター１を着用した状態を着用者の右前方から見た状態を示しており、図８は、これを着用者の左後方から見た状態を示している。
【００５２】
更に、図９は、本発明に係るサポーター１の股間部帯状体１１に設けた複数の性具保持手段に各種性具２Ｂ（女性用バイブレーター）、２Ｃ、２Ｄを取り付け、このサポーターを着用することにより、これらの性具を手で持つことなく、性器、肛門等を刺激し得ることを模式的に示している。１６ａ〜１６ｆは、股間部帯状体１１のベルトに取り付けた結束位置調整用留め具であり、３は性具２Ｂ、２Ｃ、２Ｄのコントローラーである。コントローラー３は、これらの性具の電源となる電池や、複数の性具を選択的にオンオフするスイッチ等を備えている。
【００５３】
なお、男性が使用する場合には、卵形の女性用バイブレーター２Ｂの代わりに男性用性具を取り付けることができ、また、肛門に挿入する性具２Ｄを前立腺刺激用の性具とすることも可能である。
【００５４】
図１０には、上記の如き本発明に係るサポーターの一部として用いられるホルダーの一実施例が示されている。
【００５５】
性具には各種各様のものがあり、通常の長さより長いもの、重いもの、特殊な形状のもの、等々、本発明のサポーターの前記の如き股間部帯状体に設けた性具保持手段のみによっては必ずしも安定的に保持できないものも存在する。また、通常の性具であっても一層安定した状態で保持したい場合もある。
【００５６】
そのような場合には、図１０に示すようなホルダー１９を用いて、前記サポーター１の保持機能を強化することが推奨される。
【００５７】
このホルダー１９は、性具の保持部１９ａと、前記サポーター１の股間部帯状体１１への着脱可能な取付帯状体１９ｂ、１９ｃとを備えている。この取付帯状体１９ｂ、１９ｃは、長さ調整用留め具１９ｄ、１９ｅを用いて前記股間部帯状体１１へ取り付けられるようになっている。
【００５８】
性具の保持部１９ａは、要するに性具を受けられるものであればいかなるものでもよい。具体的には、例えば革、布、金属、紐、又は、プラスチック等で成型される網状、皿状、帯状の成型物等を使用することができる。
【００５９】
使用に際しては、サポーター１の股間部帯状体１１の性具保持手段に保持された性具のうち保持状態が不安定な性具に対して、ホルダー１９の保持部１９ａを装着した上で、取付帯状体１９ｂ、１９ｃをサポーター１の股間部帯状体１１の適宜の箇所に連結して、長さ調整用留め具１９ｄ、１９ｅにより取付帯状体１９ｂ、１９ｃの長さを調整し、性具が安定的に保持されるようにする。
【００６０】
以上の実施例は、２本のベルト１１ａ、１１ｂを用い、股間部帯状体１１を形成する部分を結束位置調整用留め具１６ａ〜１６ｄを用いて重ね合わせ、その前端部側を開いて腰部帯状体
１２の腹部帯状体１３へ取り付け、後端部側を分岐バックル１４を介して分岐させ、その各端部を腹部帯状体１３の両端部へ連結リング１７ａ、１７ｂを用いて連結させる構成であるが、股間部帯状体１１と腰部帯状体１２を別々の帯状体で構成し、それぞれ長さ調節可能に構成しても良い。また、腰部帯状体１２はこれを腹部帯状体１３と臀部帯状体１２ａに分離することなく、１本の帯状体で構成しても良い。
【００６１】
また、本発明はにあっては、前記実施例に限定されるものではなく、例えば、ベルトの長さ調整手段として、ベルトに所定間隔で孔を明け、バックルのピンを所望の孔に挿入するようにしてもよく、さらに、股間部帯状１１や腰部帯状体１２、結束位置調整用留め具１６ａ〜１６ｄ、長さ調整用留め具１８ａ、１８ｂ、１９ｄ、１９ｅ、等々に各種装飾模様等を施したりすることも自由であり、従って、本発明は、特許請求の範囲内におけるすべての変更実施例を包摂するものである。
【産業上の利用可能性】
【００６２】
前記の如き構成を有する本発明に係るサポーターによるときは、性行為や自慰行為の際、使用者の好みの位置に複数の性具を保持、固定でき、それら複数の性具を手で保持しなくとも性器、陰核、肛門及び前立腺等をそれぞれ個別に又は同時に刺激することができ、使用する性具は状況に応じて適宜交換可能で、女性のみならず男性も使用でき、装着も容易であり、位置がズレたり、外れたりすることも生じ難くなっているので、複数の性具により相乗効果的に性感帯の開発、鍛練を行うことができ、更には、着用者及び相手側の性欲を刺激することによる性欲増進効果をもたらすと共に、ＥＤ等の性的障害の治療や遊びの効果、等々、多くの効果がもたらされる。
【００６３】
また、前記ホルダーを併用することにより、性行為や自慰行為の際における性具の保持性が強化されるので、前記の相乗効果的な性感帯の開発、鍛練を行い得る効果が増強される。
【符号の説明】
【００６４】
１        サポーター
１１      股間部帯状体
１１ａ、１１ｂ  ベルト
１１ｐ〜１１ｒ  性具保持手段
１２      腰部帯状体
１２ａ、  臀部帯状体
１３      腹部帯状体
１４      分岐バックル（臀部中央上部に位置する）
１５ａ、１５ｂ  固定具
１６ａ〜１６ｄ  結束位置調整用留め具
１７ａ、１７ｂ  連結リング
１８ａ、１８ｂ  長さ調整用留め具
１９      ホルダー
１９ａ    保持部
１９ｂ、１９ｃ  取付帯状体
１９ｄ、１９ｅ  長さ調整用留め具
２Ａ〜２Ｄ  性具
３        性具のコントローラー
【図１】
2012034968.tif 000003
【図２】
2012034968.tif 000004
【図３】
2012034968.tif 000005
【図４】
2012034968.tif 000006
【図５】
2012034968.tif 000007
【図６】
2012034968.tif 000008
【図７】
2012034968.tif 000009
【図８】
2012034968.tif 000010
【図９】
2012034968.tif 000011
【図１０】
2012034968.tif 000012